(57)【要約】【課題】導光体のレイアウトに応じて取付方向を変更することによって共通に使用することができる固定部材を提供すること。【解決手段】開閉可能な２つのカバー１７，１８によって形成される空間内にＬＥＤ基板１９を収容固定するとともに、前記ＬＥＤ基板１９に実装されたＬＥＤに対向する側の前記カバー１７に形成された差込孔２１に導光体１２，１３の一端を差し込んで固定するための固定部材１４において、当該固定部材１４を互いに異なる方向に取り付け可能な複数の取付部を設ける。例えば、前記取付部は、一方の前記カバー１７の面に形成されたネジ孔２２と、他方の前記カバー１８の面に垂直に立設されたステー１８Ａの面に形成されたネジ孔２５であり、これらのネジ孔２２，２５は互いに直交する方向に開口している。【選択図】図４
2016085808.tif 000002
【特許請求の範囲】
【請求項１】
開閉可能な２つのカバーによって形成される空間内にＬＥＤ基板を収容固定するとともに、前記ＬＥＤ基板に実装されたＬＥＤに対向する側の前記カバーに形成された差込孔に導光体の一端を差し込んで固定するための固定部材において、
当該固定部材を互いに異なる方向に取り付け可能な複数の取付部を設けたことを特徴とする固定部材。
【請求項２】
前記取付部は、一方の前記カバーの面に形成されたネジ孔と、他方の前記カバーの面に垂直に立設されたステーの面に形成されたネジ孔であることを特徴とする請求項１記載の固定部材。
【請求項３】
前記ステーが立設された一方の前記カバーに放熱用の開口部を形成し、該開口部に、他方の前記カバーに形成されたネジ孔と、前記ＬＥＤ基板に取り付けられたカプラを臨ませたことを特徴とする請求項２記載の固定部材。
【発明の詳細な説明】
【技術分野】
【０００１】
本発明は、ＬＥＤ基板と導光体を固定するための固定部材に関するものである。
【背景技術】
【０００２】
画像読取装置の照明光源や液晶ディスプレイ装置等のバックライト用照明光源には、高輝度で寿命の長いＬＥＤ（発光ダイオード）と、該ＬＥＤから入射する光を導光させる過程で反射・屈折させて外部に出射させることによって発光する導光体が用いられている（例えば、特許文献１参照）。
【０００３】
画像読取装置や液晶ディスプレイ装置等の照明光源には、直線状の真っ直ぐな導光体が用いられるため、ＬＥＤ基板や導光体の取付方向は一方向だけであるが、例えば車両用灯具の照明光源には、曲線状に湾曲する導光体が使用される（例えば、特許文献２参照）。
【０００４】
ところで、曲線状に湾曲する導光体とＬＥＤ基板を共通に固定するための固定部材が従来から使用されている。この固定部材は、開閉可能な２つのカバーによって形成される空間内にＬＥＤ基板を収容固定するとともに、ＬＥＤ基板に実装されたＬＥＤに対向する側のカバーに形成された差込孔に導光体の一端を差し込んで固定するものである。
【先行技術文献】
【特許文献】
【０００５】
【特許文献１】特開２００８−２１９３３３号公報
【特許文献２】特開２０１３−１７１７９５号公報
【発明の概要】
【発明が解決しようとする課題】
【０００６】
しかしながら、従来の固定部材は、その取付方向が一定であって、曲線状に湾曲する導光体に対する種々の取付方向に対応できないため、各取付方向に合った複数の固定部材を用いる必要があった。このため、固定部材の種類が増え、その製造コストが高くなるという問題があった。
【０００７】
本発明は上記問題に鑑みてなされたもので、その目的とする処は、導光体のレイアウトに応じて取付方向を変更することによって共通に使用することができる固定部材を提供することにある。
【課題を解決するための手段】
【０００８】
上記目的を達成するため、請求項１記載の発明は、開閉可能な２つのカバーによって形成される空間内にＬＥＤ基板を収容固定するとともに、前記ＬＥＤ基板に実装されたＬＥＤに対向する側の前記カバーに形成された差込孔に導光体の一端を差し込んで固定するための固定部材において、当該固定部材を互いに異なる方向に取り付け可能な複数の取付部を設けたことを特徴とする。
【０００９】
請求項２記載の発明は、請求項１記載の発明において、前記取付部は、一方の前記カバーの面に形成されたネジ孔と、他方の前記カバーの面に垂直に立設されたステーの面に形成されたネジ孔であることを特徴とする。
【００１０】
請求項３記載の発明は、請求項２記載の発明において、前記ステーが立設された一方の前記カバーに放熱用の開口部を形成し、該開口部に、他方の前記カバーに形成されたネジ孔と、前記ＬＥＤ基板に取り付けられたカプラを臨ませたことを特徴とする。
【発明の効果】
【００１１】
請求項１記載の発明によれば、固定部材を互いに異なる方向に取り付け可能な複数の取付部を設けたため、導光体のレイアウトに応じて固定部材の取付方向を変更することによって該固定部材を複数の固定箇所に対して共通に使用することができ、該固定部材の種類が１種類で済むためにその製造コストを低く抑えることができる。
【００１２】
請求項２記載の発明によれば、固定部材の一方のカバーの面に形成されたネジ孔と、他方のカバーの面に垂直に立設されたステーの面に形成されたネジ孔の開口方向が直交するため、１種類の固定部材を直交する２方向に取り付けることができる。
【００１３】
請求項３記載の発明によれば、一方のカバーに形成された放熱用の開口部に、他方のカバーに形成されたネジ孔と、ＬＥＤ基板に取り付けられたカプラを臨ませたため、開口部からドライバ等の工具を差し込んでネジをネジ孔に締め付けることができるとともに、カプラに給電用のコードを接続することができ、固定部材の取り付けと給電コードの接続を作業性良く行うことができる。
【図面の簡単な説明】
【００１４】
【図１】フロントコンビネーションランプの正面図である。
【図２】フロントコンビネーションランプに設けられたポジションランプの背面側斜視図である。
【図３】本発明に係る固定部材の表面側斜視図である。
【図４】本発明に係る固定部材の裏面側斜視図である。
【図５】本発明に係る固定部材のカバーを開いた状態を示す斜視図である。
【図６】本発明に係る固定部材に導光体の一端を固定した状態を示す斜視図である。
【発明を実施するための形態】
【００１５】
以下に本発明の実施の形態を添付図面に基づいて説明する。
【００１６】
図１はフロントコンビネーションランプの正面図、図２は同フロントコンビネーションランプに設けられたポジションランプの背面側斜視図であって、これらの図には右側のフロントコンビネーションランプのみを示している。尚、左側のフロントコンビネーションランプは、右側のものと左右対称であって、その基本構成は両者で同じであるため、以下、右側のフロントコンビネーションランプについてのみ図示及び説明する。
【００１７】
図１に示すフロントコンビネーションランプ１は、ハウジング２とその前面開口部を覆う透明な不図示のアウタレンズによって画成される灯室内に、すれ違いビーム用ランプ３、走行ビーム用ランプ４、ポジションランプ５及びターンシグナルランプ６を収容して構成されている。ここで、すれ違いビーム用ランプ３は、プロジェクタ型のランプであって、ＬＥＤ等の不図示の光源、不図示のリフレクタ、投影レンズ７等によって構成されており、灯室内の車両外側（図１の左側）上部に配置されている。
【００１８】
又、灯室内の上記すれ違いビーム用ランプ３の車両内側（図１の右側）には前記走行ビーム用ランプ４が配置され、すれ違いビーム用ランプ３の下方には前記ターンシグナルランプ６が配置されている。そして、灯室内のハウジング２の周囲には、正面視Ｕ字状を成す前記ポジションランプ５がすれ違いビーム用ランプ３と走行ビーム用ランプ４及びターンシグナルランプ６の周囲を囲むように配置されている。ここで、走行ビーム用ランプ４とターンシグナルランプ６は、バルブ８，９とこれらのバルブ８，９からそれぞれ出射する光を車両前方（図１の手前側）へと反射させるリフレクタ１０，１１をそれぞれ備えている。
【００１９】
ところで、前記ポジションランプ５は、２本の丸棒状の導光体１２，１３が正面視Ｕ字状に発光するものであって、一方の導光体１２は、正面視Ｕ字状に折り曲げられ、他方の導光体１３は正面視Ｌ字状に折り曲げられている。そして、これらの導光体１２，１３は、各一端が本発明に係る固定部材１４によって正面視Ｕ字状の筐体１５にそれぞれ取り付けられている（図２参照）。
【００２０】
ここで、本発明に係る固定部材１４の構成の詳細を図３〜図６に基づいて以下に説明する。
【００２１】
図３は本発明に係る固定部材の表面側斜視図、図４は同固定部材の裏面側斜視図、図５は同固定部材のカバーを開いた状態を示す斜視図、図６は同固定部材に導光体の一端を固定した状態を示す斜視図である。
【００２２】
本発明に係る固定部材１４は、図５に示すように、ヒンジ１６によって連結された薄い矩形のカバー１７，１８によってケース状に構成されたものであって、両カバー１７，１８は、ヒンジ１６を中心として開閉可能である。ここで、一方（以下、「表面側」と称する）のカバー１７の周囲には複数の係合爪１７ａが一体に突設されており、他方（以下、「裏面側：と称する」のカバー１８の周囲の前記係合爪１７ａに対応する複数箇所には係合孔１８ａがそれぞれ形成されている。従って、図５に示すように両カバー１７，１８が開いた状態において、矩形平板状のＬＥＤ基板１９を表面側のカバー１７内に組み込み、その状態から両カバー１７，１８をヒンジ１６を中心として折り曲げて重ね合わせれば、図３，図４及び図６に示すように、表面側のカバー１７に周囲に突設された各係合爪１７ａが裏面側のカバー１８の周囲に形成された各係合孔１８ａにそれぞれ係合するため、両カバー１７，１８が閉じた状態が維持され、固定部材１４の内部の空間にＬＥＤ基板１９が両カバー１７，１８によって挟持された状態で収容されて固定される。このため、ＬＥＤ基板１９は、ネジ等の締結具を用いることなく（つまり、ネジレスで）、固定部材１４によって筐体１５（図２参照）に固定される。尚、ＬＥＤ基板１９の一方の面（図５の裏側の面）には光源である不図示のＬＥＤが実装されており、他方の面（図５の表側の面）には給電用のカプラ２０が取り付けられている。
【００２３】
以上のように、開閉可能なカバー１７，１８を備える矩形ケース状の固定部材１４においては、表面側のカバー１７の所定箇所（ＬＥＤ基板１９（図５参照）に実装された不図示のＬＥＤが対向する箇所）には、図３に示すように、円孔状の差込孔２１が形成されている。又、表面側のカバー１８の面には、当該固定部材１４を筐体１５（図２参照）に取り付けるための取付部を構成するネジ孔２２と、円孔状の位置決め孔２３及び長孔状の位置決め孔２４が斜めの直線に沿って一列に形成されている。
【００２４】
又、図４に示すように、裏面側のカバー１８の外面には板状のステー１８Ａが面に対して垂直に一体に立設されており、このステー１８Ａの面には、当該固定部材１４を筐体１５（図２参照）に取り付けるための取付部を構成するネジ孔２５と、その左右に配された円孔状の位置決め孔２６及び長孔状の位置決め孔２７が形成されている。ここで、取付部を構成する２つのネジ孔２２，２５は、互いに直交する方向に開口している。
【００２５】
更に、図４に示すように、裏面側のカバー１８には放熱用の開口部１８ｂが形成されており、この開口部１８ｂには、表面側のカバー１７に形成されたネジ孔２２とＬＥＤ基板１９に取り付けられたカプラ２０が臨んでいる。
【００２６】
而して、以上のように構成された固定部材１４においては、その内部にＬＥＤ基板１９がネジレスによって収容固定され、表面側のカバー１７に形成された差込孔２１には、各導光体１２，１３の各一端がそれぞれ差し込まれて固定される（図６参照）。従って、ＬＥＤ基板１９と導光体１２，１３は、固定部材１４を介して筐体１５（図２参照）に取り付けられる。
【００２７】
而して、図１及び図２に示すように、ポジションランプ５においては、Ｕ字状に折り曲げられた長い方の導光体１２の一端の固定部材１４への取付方向（差込方向）は、車両前後方向（図１の紙面垂直方向）であるのに対して、Ｌ字状に折り曲げられた短い方の導光体１３の固定部材１４への取付方向（差込方向）は左右方向であるため、両導光体１２，１３は、その固定部材１４への取付方向が互いに直交することとなる。このように２つの導光体１２，１３の固定部材１４への取付方向が互いに直交する２方向であっても、本発明に係る固定部材１４を用いれば、両導光体１２，１３を互いに直交する方向に取り付けることができる。
【００２８】
即ち、本発明に係る固定部材１４においては、表面側のカバー１７に形成されたネジ孔２２と裏面側のカバー１８に立設されたステー１８Ａに形成されたネジ孔２５の各開口方向が互いに直交するため、各導光体１２，１３を固定する２つの固定部材１４を図２に示すように筐体１５に対して互いに直交する向きに取り付けることができる。
【００２９】
具体的には、Ｕ字状に折り曲げられた長い方の導光体１２を取り付けるための固定部材（図２の右側もの）１４は、表面側のカバー１７に形成されたネジ孔２２（図３参照）に挿通するネジ２８を、裏面側のカバー１８の開口部１８ｂから差し込まれたドライバ等の工具によって締め付けることによって筐体１５に取り付けられる。尚、このとき、表面側のカバー１７に形成された位置決め孔２３，２４（図３参照）には、筐体１５に形成された不図示の位置決めピンが係合するため、固定部材１４は、筐体１５に対して正確に位置決めされる。
【００３０】
以上のようにして取り付けられた一方（図２の右側）の固定部材１４においては、表面側のカバー１７に形成された差込孔２１（図３参照）は、正面（図２の裏面側）に向かって開口しており、この差込孔２１に導光体１２の一端を図１に示すように正面側から差し込むことによって、該導光体１２の一端が固定部材１４に取り付けられる。この場合、図２に示すように、固定部材１４の裏面側のカバー１８に開口する開口部１８ｂには、ＬＥＤ基板１９に取り付けられたカプラ２０が露出しているため、給電コード２９の端部に取り付けられたコネクタ３０をカプラ２０に作業性良く簡単に差し込むことができ、給電コード２９をＬＥＤ基板１９に電気的に接続することができる。
【００３１】
他方、Ｌ字状に折り曲げられた短い方の導光体１３を取り付けるための固定部材１４（図２の左側のもの）は、裏面側のカバー１８に立設されたステー１８Ａに形成されたネジ孔２５（図４参照）に挿通するネジ３１を締め付けることによって、筐体１５に取り付けられる。尚、このとき、ステー１８Ａに形成された位置決め孔２６，２７（図４参照）には、筐体１５に形成された位置決めピン１５ａが係合するため、固定部材１４は、筐体１５に対して正確に位置決めされる。
【００３２】
以上のようにして取り付けられた他方（図２の左側）の固定部材１４においては、表面側のカバー１７に形成された差込孔２１（図３参照）は、左右（図２の右方）に向かって開口しており、この差込孔２１に導光体１３の一端を図１に示すように側方から差し込むことによって、該導光体１３の一端が固定部材１４に取り付けられる。この場合も、固定部材１４の裏面側のカバー１８に開口する開口部１８ｂには、ＬＥＤ基板１９に取り付けられたカプラ２０が露出しているため、給電コード３２の端部に取り付けられた不図示のコネクタをカプラ２０に作業性良く簡単に差し込むことができ、給電コード３２をＬＥＤ基板１９に電気的に接続することができる。
【００３３】
而して、以上のように２つの固定部材１４によってＬＥＤ基板１９と導光体１２，１３が筐体１５に取り付けられたポジションランプ５において、不図示の電源から給電コード２９，３２を介して各ＬＥＤ基板１９のＬＥＤに電流が供給されると、各ＬＥＤが発光し、その光は、各導光体１２，１３の固定部材１４に差し込まれた端面（入光面）から導光体１２，１３内に入射する。そして、各導光体１２，１３の内部に入射した光は、全反射を繰り返しながら導光体１２，１３の内部を進む過程で背面に施されたカットによって屈折して表面側（正面側）に出射するため、導光体１２，１３が正面視でＵ字状に発光する。
【００３４】
以上のように、本実施の形態では、固定部材１４を互いに直交する２方向に取り付け可能な取付部としてのネジ孔２２，２５を設けたため、導光体１２，１３のレイアウトに応じて２つの固定部材１４を互いに直交する方向に取り付けることができる。このため、取付方向が異なる導光体１２，１３を共通の固定部材１４によって取り付けることができ、該固定部材１４の種類が１種類で済むためにその製造コストを低く抑えることができる。
【００３５】
又、本実施の形態では、裏面側のカバー１８に形成された放熱用の開口部１８ｂに、表面側のカバー１７に形成されたネジ孔２２と、ＬＥＤ基板１９に取り付けられたカプラ２０を臨ませたため、開口部１８ｂからドライバ等の工具を差し込んでネジ２８をネジ孔２２に締め付けることができるとともに、カプラ２２に給電コード２９，３２を接続することができ、固定部材１４の取り付けと給電コード２９，３２の接続を作業性良く簡単に行うことができる。
【００３６】
尚、以上の実施の形態では、固定部材１４に直交する２方向の取付部としてのネジ孔２２，２５を形成した例について説明したが、固定部材１４に設けられる取付部は、直交する２方向に当該固定部材１４を取り付けるものに限定されず、その取付方向は任意である。
【００３７】
又、以上は本発明に係る固定部材１４がフロントコンビネーションランプ１に設けられたポジションランプ５が備える導光体１２，１３とＬＥＤ基板１９の固定に用いられる形態について説明したが、本発明に係る固定部材１４は、ポジションランプ５以外の他の任意の照明機器に備えられる導光体とＬＥＤ基板の固定に供せられるものに対しても同様に適用可能であることは勿論である。
【符号の説明】
【００３８】
１          フロントコンビネーションランプ
５          ポジションランプ
１２，１３  導光体
１４        固定部材
１５        筐体
１６        ヒンジ
１７        表面側のカバー
１８        裏面側のカバー
１８Ａ      ステー
１８ｂ      開口部
１９        ＬＥＤ基板
２０        カプラ
２１        差込孔
２２        ネジ孔（取付部）
２３，２４  位置決め孔
２５        ネジ孔（取付部）
２６，２７  位置決め孔
２９，３２  給電コード
【図１】
2016085808.tif 000003
【図２】
2016085808.tif 000004
【図３】
2016085808.tif 000005
【図４】
2016085808.tif 000006
【図５】
2016085808.tif 000007
【図６】
2016085808.tif 000008